(57)【特許請求の範囲】
【請求項１】
一方と他方の躯体間の目地部を塞ぐ目地プレート及びこの目地プレートの上面に支持されるように前記他方の躯体側に設置されたカバープレートとを備える床用目地装置であって、前記一方の躯体に設けられた目地プレート支持部と、前記他方の躯体に設けられた目地プレートスライド支持部と、該目地プレートスライド支持部に所定間隔を有して設けられた複数の薄板状の目地プレート受け部材と、前記目地プレート支持部に一端部が支持され、前記複数の薄板状の目地プレート受け部材に他端部が支持された目地プレートと、前記目地プレートスライド支持部を覆うとともに、前記目地プレートの上方に位置するように前記他方の躯体に設けられたカバープレートと、前記目地プレート受け部材間に設けられ、前記カバープレートを支持する複数のカバープレート支持機構とで構成され、前記目地プレートは、一端部が前記目地プレート支持部に枢支され、他端部が前記複数の目地プレート受け部材に支持される複数のバー部材と、該複数のバー部材に固定された目地プレート本体とより成り、前記カバープレート支持機構は、前記目地プレート受け部材の間に所定間隔で回動可能に設けられ、直立状態では前記カバープレートを支持することができるとともに、目地プレート本体に側方から押圧された場合には回転することができる支持具と、該支持具を直立状態となるように付勢する付勢具とより成ることを特徴とする床用目地装置。
【請求項２】
前記目地プレート受け部材は、所定間隔を有してコロ部材取付部が形成された薄板状の目地プレート受け部材本体と、前記コロ部材取付部にそれぞれ回転可能に取り付けられた丸棒状のコロ部材とで成ることを特徴とする請求項１に記載の床用目地装置。
【請求項３】
前記目地プレート受け部材は、薄板状の目地プレート受け部材本体と、該目地プレート受け部材本体に設けられた複数個のボールベアリングとで成ることを特徴とする請求項１に記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、目地部を塞ぐ床用目地装置としては、目地部を介して建てられた左右の躯体の目地部側の床面に、該目地部に開口するように形成された一対の凹部と、この一対の凹部のほぼ中央部に両端部が位置して前記目地部を覆う、該一対の凹部内をスライド移動可能な目地プレートと、この目地プレートの両端部の前記一対の凹部に位置している部位を覆うように前記左右の躯体の躯体に固定された一対のカバープレートと、この一対のカバープレート内の凹部に、該一対のカバープレートに加わる荷重を支持することができる支持体に所定間隔で支持された、前記凹部に支持される複数の下部支持ローラー、前記支持体に所定間隔で支持される前記一対のカバープレートを支持する複数個の上部支持ローラーとからなる一対のカバープレート荷重支持具と、この一対のカバープレート荷重支持具を前記一対のカバープレート内の凹部のほぼ中央部に常時位置させる一対の中央維持具とで構成される床用目地装置が知られている（特許文献１）。
【０００３】
しかしながら、地震によって目地部が狭くなった際に、目地プレートがカバープレート荷重支持具と衝突して、破損するおそれがある。そこで、目地プレートが設けられる前記一対の凹部の寸法を大きく設定しなければならず、コストが高くなるとともに、凹部を形成するためのスペースが大きくなってしまい、目地部が広くなった際には、１つのカバープレート荷重支持具だけでは、カバープレートに荷重がかかった場合、カバープレート荷重支持具がある位置以外では、この荷重を支えきれず、カバープレートが撓んでしまうという欠点があった。
【０００４】
また、このような床用目地装置では、目地プレートがスライド移動するための凹部を大きく形成しなければならなかった。そのため、スラブ等の躯体を大きく削って凹部を形成することが強度上不可能な場合には、このような床用目地装置を用いることはできなかった。
【先行技術文献】
【特許文献】
【０００５】
【特許文献１】特許第３４４５２０８号公報
【発明の概要】
【発明が解決しようとする課題】
【０００６】
本発明は以上のような従来の欠点に鑑み、目地プレート支持部（躯体の壁面から該躯体の内部方向の支持部）の寸法を大きくすることなく、カバープレートを常時支持でき、これによりカバープレートが加わる荷重によって曲面状に撓んだりするのを効率よく阻止できるとともに、スラブ等をほとんど加工しなくても設置可能な床用目地装置を提供することを目的としている。
【０００７】
本発明の前記ならびにそのほかの目的と新規な特徴は次の説明を添付図面と照らし合わ
せて読むと、より完全に明らかになるであろう。
ただし、図面はもっぱら解説のためのものであって、本発明の技術的範囲を限定するもの
ではない。
【課題を解決するための手段】
【０００８】
上記目的を達成するために、本発明の床用目地装置は、一方と他方の躯体間の目地部を塞ぐ目地プレート及びこの目地プレートの上面に支持されるように前記他方の躯体側に設置されたカバープレートとを備える床用目地装置であって、前記一方の躯体に設けられた目地プレート支持部と、前記他方の躯体に設けられた目地プレートスライド支持部と、該目地プレートスライド支持部に所定間隔を有して設けられた複数の薄板状の目地プレート受け部材と、前記目地プレート支持部に一端部が支持され、前記複数の薄板状の目地プレート受け部材に他端部が支持された目地プレートと、前記目地プレートスライド支持部を覆うとともに、前記目地プレートの上方に位置するように前記他方の躯体に設けられたカバープレートと、前記目地プレート受け部材間に設けられ、前記カバープレートを支持する複数のカバープレート支持機構とで構成され、前記目地プレートは、一端部が前記目地プレート支持部に枢支され、他端部が前記複数の目地プレート受け部材に支持される複数のバー部材と、該複数のバー部材に固定された目地プレート本体とより成り、前記カバープレート支持機構は、前記目地プレート受け部材の間に所定間隔で回動可能に設けられ、直立状態では前記カバープレートを支持することができるとともに、目地プレート本体に側方から押圧された場合には回転することができる支持具と、該支持具を直立状態となるように付勢する付勢具とより成ることを特徴とする。
【発明の効果】
【０００９】
以上の説明から明らかなように、本発明にあっては次に列挙する効果が得られる。
（１）請求項１に記載の各発明においては、地震時、前記目地部が狭くなると、前記カバープレートの下面を支持している支持具は、前記目地プレートの挿入端部に押圧されて回転し、該支持具は該目地プレートの下側に潜り込むので、目地プレートとカバープレート支持機構の衝突による破損防止のために目地プレート支持部の寸法を大きくしなくてもよい。
（２）また、前記支持具は、目地プレート受け部材間に所定間隔を有して複数個設けられているので、目地部が広くなっても狭くなっても所定間隔でカバープレートを支持することができ、カバープレートが撓むことを効率よく防止できる。
（３）目地プレートは、一端部が前記目地プレート支持部に枢支され、他端部が前記複数の薄板状の目地プレート受け部材に支持される複数のバー部材と、該複数のバー部材に固定された目地プレート本体とから構成されているので、目地プレート支持部を大きな凹所とする必要が無い。
したがって、スラブ等をほとんど加工しなくても設置することができる。
（４）請求項２、３に記載の各発明においても、前記（１）〜（３）と同様な効果が得られる。
【図面の簡単な説明】
【００１０】
図１乃至図９は本発明の第１の実施形態を示す説明図である。
図１０乃至図１２は本発明の第２の実施形態を示す説明図である。
【図１】第１の実施形態を示す床用目地装置の平面図。
【図２】図１の２−２線に沿う断面図。
【図３】図１の３−３線に沿う断面図。
【図４】目地プレートの説明図。
【図５】カバープレート支持機構の説明図。
【図６】目地プレート受け部材の説明図。
【図７】地震で目地部が狭くなった動作説明図。
【図８】地震で目地部が広くなった動作説明図。
【図９】第２の実施形態を示す床用目地装置の平面図。
【図１０】図９の１０−１０線に沿う断面図。
【図１１】目地プレート受け部材の説明図。
【発明を実施するための形態】
【００１１】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における
上下方向をいう。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
この床用目地装置１は、図１乃至図３に示すように、前記左右の躯体の一方の躯体３に設けられた目地プレート支持部５と、前記左右の躯体の他方の躯体４に設けられた目地プレートスライド支持部６と、該目地プレートスライド支持部６に所定間隔を有して設けられた複数の目地プレート受け部材７と、前記目地プレート支持部５に一端部が支持され、前記複数の目地プレート受け部材７に他端部が支持された目地プレート８と、前記目地プレートスライド支持部６を覆うとともに、前記目地プレート８の上方に位置するように前記他方の躯体４に設けられたカバープレート９と、前記複数の目地プレート受け部材７の間に設けられ、前記カバープレート９を支持するカバープレート支持機構１０とで構成されている。
【００１４】
前記目地プレート支持部５は一方の躯体３の目地部側の壁面に固定されたアングル状の取付金具により形成されている。なお、この目地プレート支持部５は、一方の建物３の目地部側の壁面を凹所状に加工して設けてもよい。
【００１５】
前記目地プレート８は、図４に示すように、一端部が前記目地プレート支持部５の取付金具にピン１１により取り付けられ、他端部が前記複数の目地プレート受け部材７に支持される直方体状の複数のバー部材１２と、該複数のバー部材１２に固定された目地プレート本体１３とで構成されている。この目地プレート本体１３は、平面視方形状で金属製の薄板材で形成されている。
【００１６】
前記目地プレートスライド支持部６は、前記他方の躯体４の床面に凹所状に形成されており、本実施の形態においては、目地部の約２倍の寸法に形成されている。前記目地プレート８の複数のバー部材１２は薄板状の目地プレート受け部材７で指示されるので、この凹所はローラー等で目地プレート８のバー部材１２を支持する場合に比べ、高さをあまり必要としないため、スラブ等を加工する必要がない、又はスラブ等の加工を最低限におさえることができるものである。
【００１７】
前記カバープレート９は、平面視方形状の金属製の薄板材で、一端部が前記他方の躯体４の床面に固定され、他端部（目地部側の端部）は前記目地プレート８の上面に支持されている。また、この他端部は、図２等に示すように前記他方の躯体４の目地部側の壁面と略同一面となるような寸法に形成されている。
【００１８】
前記カバープレート支持機構１０は、図５に示すように前記所定間隔を有して設けられた複数の目地プレート受け部材７の間に、所定間隔で回動可能に設けられた複数の金属製の支持具１４と、該複数の支持具１４の上端部に設けられたローラー１５と、該複数の支持具１４を直立状態となるようにそれぞれ付勢する付勢具１６とで構成されている。前記複数の支持具１４は、直立状態では前記カバープレート９を支持することができるとともに、目地プレート本体１３に側方から押圧された場合には回転することができるように略Ｌ字状に形成されている。
【００１９】
前記支持具１４のローラー１５付近には、前記付勢具１６を取付ける付勢具取付部１７が形成され、前記付勢具１６（本実施の形態においてはコイルスプリング）の一端部が目地プレートスライド支持部６に固定され、他端部が前記付勢具取付部１７に固定される。
また、この支持具１４は、直立状態において前記ローラー１５によって前記カバープレート９の底面を支持しており、地震によって目地部２が狭くなる方向に躯体が揺れ動き、前記目地プレート本体１３がローラー１５を押圧し、前記支持具１４が押圧された方向に傾倒した際には、前記ローラー１５が目地プレート本体１３の底面に当接するので、目地プレート本体１３の底面との間に大きな摩擦力が発生せずスムーズにスライド移動できる。
【００２０】
前記目地プレート受け部材７は、図６に示すように、平面視長方形状で薄板状の目地プレート受け部材本体１８と、この目地プレート受け部材本体１８に所定間隔を有して複数個形成されたコロ部材取付部１９と、該コロ部材取付部１９にそれぞれ回転可能に取り付けられた丸棒状のコロ部材２０とで構成されている。このコロ部材２０は、前記目地プレート６のバー部材１２を支持しており、地震によって左右の躯体３、４が左右方向に揺れ動いた際に、目地プレート８がスムーズに目地プレートスライド支持部６内をスライド移動できるように設けられている。また、目地プレート受け部材７は、前記カバープレート支持機構１０の間に配設されている。
【００２１】
地震で躯体３、４が左右方向に揺れ動き目地部２が狭くなると、図７に示すように、目地プレート８のバー部材１２が目地プレート受け部材７を左右方向にスライド移動するとともに、目地プレート本体１３の挿入端部に押圧されたカバープレート支持機構１０の支持具１２が押圧された方向に回転し、目地プレート本体１３の下側に潜り込むことで揺れ動きを吸収する。このときカバープレート支持機構１０の支持具１４が傾き、カバープレート９を直接支持できなくても、その部位には目地プレート８が位置するため、カバープレート９を目地プレート８が支持することになり、カバープレート９が撓むことを防止できる。また、目地プレートが位置しない部位については、通常時と同様にカバープレート支持機構１０の支持具１４がカバープレート９を支持する。
【００２２】
地震による揺れ動きが終了し、目地部２の寸法が通常時と同様に復帰した場合には、目地プレート本体１３によって押圧され傾倒していたカバープレート支持機構１０の支持具１４は、付勢具１６の付勢力により直立状態となってカバープレート９を支持する。
【００２３】
地震で躯体３、４が左右方向に揺れ動き目地部２が広くなると、図８に示すように、目地プレート８のバー部材１２が目地プレート受け部材７を左右方向にスライド移動し揺れ動きを吸収する。このとき、通常時は目地プレート８によってカバープレート９を支持していた部位に設けられているカバープレート支持機構１０の支持具１４は、付勢具１６の付勢力により直立状態となってカバープレート９を支持する。これにより、目地部２が広くなってもカバープレート９が撓むことを防止できる。
【００２４】
[発明を実施するための異なる形態]
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１１に示す本発明を実施するための第２の形態において、前記本発明を実施するための第１の形態と主に異なる点は、薄板状の目地プレート受け部材本体１８に多数のボールベアリング２１を設けた目地プレート受け部材７Ａにした点で、このような床用目地装置１Ａにしても、前記本発明を実施するための第１の形態と同様の作用効果を得ることができる。
【００２５】
なお、本実施の形態においては、左右の躯体の壁面間に外壁用目地装置等を図示していないが、必要に応じて外壁用目地装置を用いるとよい。
また、カバープレート支持機構の付勢具としてコイルスプリングを用いるものについて説明したが、支持具の回転軸にゼンマイバネを設けて付勢具としてもよく、支持具の先端（ローラーを設けていない先端）に重り等を用いて自重で直立するように付勢してもよい。
【産業上の利用可能性】
【００２６】
本発明は床用目地装置を製造する産業で利用される。
【符号の説明】
【００２７】
１、１Ａ：床用目地装置、            ２：目地部、
３：一方の躯体、                    ４：他方の躯体、
５：目地プレート支持部、            ６：目地プレートスライド支持部、
７、７Ａ：目地プレート受け部材、    ８：目地プレート、
９：カバープレート、                １０：カバープレート支持機構、
１１：ピン、                        １２：バー部材、
１３：目地プレート本体、            １４：支持具、
１５：ローラー、                    １６：付勢具、
１７：付勢具取付部、                １８：目地プレート受け部材本体、
１９：コロ部材取付部、              ２０：コロ部材、
２１：ボールベアリング。
【図１】
0006297612.tif 000002
【図２】
0006297612.tif 000003
【図３】
0006297612.tif 000004
【図４】
0006297612.tif 000005
【図５】
0006297612.tif 000006
【図６】
0006297612.tif 000007
【図７】
0006297612.tif 000008
【図８】
0006297612.tif 000009
【図９】
0006297612.tif 000010
【図１０】
0006297612.tif 000011
【図１１】
0006297612.tif 000012